(57)【要約】【課題】複合型の魚類の護岸構造に対する選好の行動テスト水槽を提供する。【解決手段】本考案における複合型の魚類の護岸構造に対する選好の行動テスト水槽は、メイン水槽を含み、メイン水槽の両側はそれぞれ起動エリア１と消波エリア３であり、起動エリア１と消波エリア３との間はメイン航路５である。メイン航路５は、その径方向において起動エリア１、消波エリア３に比べて外側へ広がってテストエリア４を形成することで、メイン水槽で両端が狭く、中央が広い構造を形成させている。起動エリア１には流れ発生装置１０が取り付けられ、流れ発生装置１０とメイン航路５との間には第一魚止めゲート１１が取り付けられており、消波エリア３には消波装置１２が取り付けられ、消波装置１２とメイン航路５との間には第二魚止めゲート１３が取り付けられている。【選択図】図１
0003233552.tif 000002
【実用新案登録請求の範囲】
【請求項１】
複合型の魚類の護岸構造に対する選好の行動テスト水槽であって、メイン水槽を含み、前記メイン水槽の両側はそれぞれ起動エリアと消波エリアであり、前記起動エリアと消波エリアとの間はメイン航路であり、前記メイン航路は、その径方向において前記起動エリア、消波エリアに比べて外側へ広がってテストエリアを形成することで、前記メイン水槽で両端が狭く、中央が広い構造を形成させ、
前記起動エリアには流れ発生装置が取り付けられ、前記流れ発生装置と前記メイン航路との間には第一魚止めゲートが取り付けられており、前記消波エリアには消波装置が取り付けられ、前記消波装置と前記メイン航路との間には第二魚止めゲートが取り付けられている、
ことを特徴とする複合型の魚類の護岸構造に対する選好の行動テスト水槽。
【請求項２】
さらに外付け開閉装置を含み、前記外付け開閉装置により、前記第一魚止めゲート、前記第二魚止めゲートを前記メイン水槽内から上昇させて、魚類が通れるようにできる、
ことを特徴とする請求項１に記載の複合型の魚類の護岸構造に対する選好の行動テスト水槽。
【請求項３】
前記第一魚止めゲート、前記第二魚止めゲートには流れ通過穴が設けられており、前記流れ通過穴により、水が通過できるが、魚類が通過できないようにすることが可能である、
ことを特徴とする請求項１に記載の複合型の魚類の護岸構造に対する選好の行動テスト水槽。
【請求項４】
前記外付け開閉装置は、定滑車、支持フレーム及び牽引ロープを含み、前記定滑車が前記支持フレームに取り付けられており、前記牽引ロープが前記定滑車を通っており、かつ前記牽引ロープの一端が前記第一魚止めゲート又は前記第二魚止めゲートと固定的に接続されている、
ことを特徴とする請求項２に記載の複合型の魚類の護岸構造に対する選好の行動テスト水槽。
【請求項５】
前記メイン水槽の四つの側面と底部はいずれも灰色で不透明である、
ことを特徴とする請求項１に記載の複合型の魚類の護岸構造に対する選好の行動テスト水槽。
【請求項６】
前記メイン水槽の四つの側面と底部のいずれにも灰色で不透明な色の紙が貼られている、
ことを特徴とする請求項１に記載の複合型の魚類の護岸構造に対する選好の行動テスト水槽。
【請求項７】
前記灰色で不透明な色の紙は、つや消し面付きＰＶＣ材質の接着剤付きタイプである、
ことを特徴とする請求項６に記載の複合型の魚類の護岸構造に対する選好の行動テスト水槽。
【請求項８】
前記第一魚止めゲート又は前記第二魚止めゲートの材質はアクリル材質としている、
ことを特徴とする請求項１に記載の複合型の魚類の護岸構造に対する選好の行動テスト水槽。
【請求項９】
前記メイン水槽の材質がガラス繊維強化プラスチックである、
ことを特徴とする請求項１に記載の複合型の魚類の護岸構造に対する選好の行動テスト水槽。
【考案の詳細な説明】
【技術分野】
【０００１】
本考案は魚類行動学の分野に関し、特に複合型の魚類の護岸構造に対する選好の行動テスト水槽に関する。
【背景技術】
【０００２】
航路整備及び維持、河道固化及びダム建設などの河川関係工事は、その正常な機能を発揮させるために、いずれも不可避的に水制、フィッシュボーン型水制、防波堤などの様々な水利施設構造物を建設する必要がある。上記様々な水利施設構造物の水面下に延びた部分は、様々な堤防や護岸、及び斜面構造を形成している。魚類などの水生生物の斜面選好行動に対してテストをして、かつ対応する行動学結果を水利施設構造物の建設に応用することで、河川関係工事をグリーンで環境保護の理念により一致させて、それの魚類などの水生生物に対する影響を減少させることで、生態系によりやさしい河川関係工事を行うことができる。
【０００３】
現在、魚類の異なる護岸構造の勾配、表面空隙率及び植被率などの要素に対する選好のテスト専用のテスト装置はまだ比較的少ない。そのため、魚類の異なる護岸構造の勾配、表面空隙率及び植被率などの要素に対する選好を正確にテストして、生態系にやさしい河川関係工事の水利施設構造物の建設に基礎的な行動学資料を提供できる、新型の魚類の異なる護岸構造に対する選好を観測する行動テスト水槽を早急に研究開発することが差し迫って必要とされている。
【考案の概要】
【考案が解決しようとする課題】
【０００４】
本考案の目的は、先行技術の欠点、及び、欠落点を克服して、河道のビオトープのシミュレーションと魚類の護岸構造に対する選好のテストを一体に統合でき、テストエリアのテスト材料（例えば護岸構造の勾配、表面空隙率及び植被率など）がテストの対象及びテストの目的に応じて自由に選択できる、新型の魚類の異なる護岸構造に対する選好の行動テスト水槽を提供することにある。
【課題を解決するための手段】
【０００５】
本考案は、以下の技術案により、その技術問題の解決を実現している。複合型の魚類の護岸構造に対する選好の行動テスト水槽は、メイン水槽を含み、前記メイン水槽の両側はそれぞれ起動エリアと消波エリアであり、前記起動エリアと前記消波エリアとの間はメイン航路であり、前記メイン航路はその径方向において前記起動エリア、前記消波エリアに比べて外側へ広がってテストエリアを形成することで、前記メイン水槽で両端が狭く、中央が広い構造を形成させ、前記起動エリアには流れ発生装置が取り付けられ、前記流れ発生装置と前記メイン航路との間には第一魚止めゲートが取り付けられており、前記消波エリアには消波装置が取り付けられ、前記消波装置と前記メイン航路との間には第二魚止めゲートが取り付けられている。
【０００６】
さらに、テスト水槽において、外付け開閉装置を含み、前記外付け開閉装置により、前記第一魚止めゲート、前記第二魚止めゲートを前記メイン水槽内から上昇させて、魚類が通れるようにできる。
【０００７】
さらに、テスト水槽において、前記第一魚止めゲート、前記第二魚止めゲートには流れ通過穴が設けられており、前記流れ通過穴により、水が通過できるが、魚類が通過できないようにできる。
【０００８】
さらに、テスト水槽において、前記外付け開閉装置は定滑車、支持フレーム及び牽引ロープを含み、前記定滑車が前記支持フレームに取り付けられており、前記牽引ロープが前記定滑車を通っており、かつ前記牽引ロープの一端が前記第一魚止めゲート又は前記第二魚止めゲートと固定的に接続されている。
【０００９】
さらに、テスト水槽において、前記メイン水槽の四つの側面と底部はいずれも灰色で不透明である。
【００１０】
さらに、テスト水槽において、前記メイン水槽の四つの側面と底部のいずれにも灰色で不透明な色の紙が貼られている。
【００１１】
さらに、テスト水槽において、前記灰色で不透明な色の紙はつや消し面付きＰＶＣ材質の接着剤付きタイプである。
【００１２】
さらに、テスト水槽において、前記第一魚止めゲート又は前記第二魚止めゲートの材質はアクリル材質としている。
【００１３】
さらに、テスト水槽において、前記メイン水槽の材質がガラス繊維強化プラスチックである。
【００１４】
本考案の長所及び積極な効果は、次の通りである。本考案のテスト水槽は、河道のビオトープのシミュレーションと魚類の護岸構造に対する選好のテストを一体に統合して、テストエリアのテスト材料が自由に選択でき、勾配、表面空隙率及びカバーされるビオトープ複雑性などの複数種類の航路工事の護岸構造要素に対して、魚類選好行動実験のテストを行うことができる。
【００１５】
本考案のテスト水槽は、河道のビオトープのシミュレーションと魚類の護岸構造に対する選好のテストを一体に統合でき、テストエリアのテスト材料及び配置方式（例えば護岸構造の勾配、表面空隙率及び河流斜面のビオトープ複雑性テストなど）は実験の計画及び実験の目的に応じて自由に選択できる。
【００１６】
以下では、図面と実施例を組み合わせて本考案の技術案についてさらに詳しく説明するが、これらの図面は説明のために用意されたものだけであって、本考案の請求の範囲に対する限定とするものではないことは、理解しておく必要がある。また、特別に示さない限り、これらの図面はここで説明される構造と構成を模式的に説明するためのものだけであって、一定の縮尺で描かれていない可能性がある。
【図面の簡単な説明】
【００１７】
【図１】本考案の実施例が提供する複合型の魚類の護岸構造に対する選好の行動テスト水槽の平面構成模式図である。
【図２】本考案の実施例が提供する複合型の魚類の護岸構造に対する選好の行動テスト水槽の外付け開閉装置の構成模式図である。
【考案を実施するための形態】
【００１８】
以下では、例示により本考案の具体的な構成、特徴及び長所などについて具体的に説明するが、全ての記述は説明のためのものであって、本考案に対して制限を形成するものとして解釈すべきではない。また、本文で言及される各実施例において説明又は暗示される何れか単一の技術的特徴、或いは、各図面内に表示または暗示される何れか単一の技術的特徴は、これらの技術的特徴（又はその等価物）の間で組み合わせ又は削除により、本文の中で直接言及されない本考案のより多くの他の実施例を得ることが可能である。なお、図面の簡素化のために、同一の図面において、同一或いは類似の技術的特徴については、一か所にしか表示しない場合があり得る。
【００１９】
矛盾しない限り、本願における実施例及び実施例における特徴は互いに組み合わせてもよい。
【００２０】
以下では、図１、２を組み合わせて本考案を具体的に説明する。
【００２１】
＜実施例１＞
図１、２に示すように、本実施例が提供する複合型の魚類の護岸構造に対する選好の行動テスト水槽は、メイン水槽を含み、メイン水槽は槽状構造であり、メイン水槽の両側はそれぞれ起動エリア１と消波エリア３である。起動エリア１と消波エリア３との間はメイン航路５であり、メイン航路５は、その径方向において起動エリア１、消波エリア３に比べて外側へ広がってテストエリア４を形成することで、メイン水槽で両端が狭く、中央が広い構造を形成させている。
【００２２】
起動エリア１には流れ発生装置１０が取り付けられ、流れ発生装置１０は、メイン水槽の槽壁に固定されて且つ水槽の他端に向けて流速が安定した水流を作る。流れ発生装置１０とメイン航路５との間には第一魚止めゲート１１が取り付けられており、消波エリア３には消波装置１２が取り付けられている。消波装置１２により、流れ発生装置１０で発生した波を消して、反射波の実験に対する影響を防ぐことができる。消波装置１２とメイン航路５との間には第二魚止めゲート１３が取り付けられている。
【００２３】
テスト水槽は、さらに外付け開閉装置を含む。外付け開閉装置により、第一魚止めゲート１１、第二魚止めゲート１３を上記メイン水槽内から上昇させて、魚類が通れるようにできる。図１に示すように、メイン水槽の外にはそれぞれ第一外付け開閉装置６０１、第二外付け開閉装置６０２が取り付けられており、第一外付け開閉装置６０１、第二外付け開閉装置６０２はそれぞれ、第一魚止めゲート１１、第二魚止めゲート１３の開閉をコントロールする。
【００２４】
図２に示すように、第一魚止めゲート、第二魚止めゲートには、流れ通過穴１４が設けられており、流れ通過穴１４により、水が通過できるが、魚類が通過できないようにすることが可能である。本実施例において、第一外付け開閉装置６０１と第二外付け開閉装置６０２の構成は、一致している。第一外付け開閉装置６０１と第二外付け開閉装置６０２は、いずれも、図２に示すように、定滑車７、支持フレーム８及び牽引ロープ９を含む。定滑車７が支持フレーム８に取り付けられており、牽引ロープ９が定滑車７を通っており、かつ牽引ロープ９の一端が第一魚止めゲート又は第二魚止めゲートと固定的に接続されており、牽引ロープ９を引っ張ることで魚止めゲートの開閉をコントロールすることができる。
【００２５】
本実施例において、上記メイン水槽の四つの側面と底部に、灰色で不透明なつや消し面付きＰＶＣ材質の接着剤付き紙が貼られていることが考えられる。これは、水槽の外側に灰色で不透明な色の紙を貼ることで、テスト対象の魚を外部環境から隔離して、外部環境の魚類行動に対する影響を減少させることが可能だからである。
【００２６】
また、加工の容易化及びコスト削減のために、第一魚止めゲート１１又は第二魚止めゲート１３の材質をアクリル材質として、上記メイン水槽の材質をガラス繊維強化プラスチックとすることが考えられる。
【００２７】
具体的な実験を実施する場合、上記テストエリア４を複数のテストサブエリアに区分けすることができる。ここでは、仮想的な区分けに過ぎず、実物で遮断しないことは、留意する必要がある。メイン航路５は自然条件における河流のメイン航路をシミュレーションするためのものであり、テストサブエリアは異なる形式の岸辺環境配置、例えば異なる勾配、ビオトープ複雑性、植被率などをシミュレーションするためのものである。
【００２８】
操作時において、流れ発生装置１０、第一魚止めゲート１１、消波装置１２、第二魚止めゲート１３を起動し、魚を起動エリア１から入れて、魚がすべてテストエリア４に入ってから、第一魚止めゲート１１、第二魚止めゲート１３を閉じることで、魚をテストエリア４内に隔離して、その後、魚類の各行動パラメータに対して短期又は長期の観測を行うことができる。
【００２９】
流れ発生装置１０と消波装置１２はすべて市販の成熟した機器であり、既存の製品を採用すればよく、その具体的な構造は当業者が熟知している構造であるため、ここで改めてそれらについて説明はしない。
【００３０】
以上をまとめると、本考案のテスト水槽によれば、勾配、表面空隙率及び植被率などの複数種類の航路工事の護岸構造要素に対して、魚類選好行動実験テストを正確に行うことができる。
【００３１】
以上の実施例によって、本考案について詳しく説明したが、上記内容は本考案の好ましい実施例に過ぎず、本考案を限定するための実施の範囲として見なすべきではない。本考案の請求の範囲によって行った同等な変更及び改良などは、いずれも本考案の請求の範囲に含まれるものとする。
【符号の説明】
【００３２】
１  起動エリア、３  消波エリア、４  テストエリア、５  メイン航路、７  定滑車、８  支持フレーム、９  牽引ロープ、１０  流れ発生装置、１１  第一魚止めゲート、１２  消波装置、１３  第二魚止めゲート、１４  流れ通過穴、６０１  第一外付け開閉装置、６０２  第二外付け開閉装置。
【図１】
0003233552.tif 000003
【図２】
0003233552.tif 000004